(57)【要約】【課題】アップダウンを含むルートの残り行程（現在地点から目的地点までの行程）に関する有意な情報をユーザーへ通知すること。【解決手段】本発明に係る電子機器は、可搬の電子機器であって、予め指定されたルートのうち、現在地点から目的地点までの累積上昇量に関する情報、又は、現在地点から目的地点までの累積下降量に関する情報を、ユーザーへ通知する通知部を含む。【選択図】図７
2017032423.tif 000002
【特許請求の範囲】
【請求項１】
可搬の電子機器であって、
予め指定されたルートのうち、現在地点から目的地点までの累積上昇量に関する情報、又は、前記現在地点から前記目的地点までの累積下降量に関する情報を、ユーザーへ通知する通知部を含む、
電子機器。
【請求項２】
前記ルートの高度の分布を示す情報を記憶する記憶部を更に含み、
前記通知部は、前記高度の分布を示す情報に基づいて、前記累積上昇量に関する情報または前記累積下降量に関する情報を通知する、
請求項１に記載の電子機器。
【請求項３】
前記累積上昇量に関する情報には、
前記現在地点から前記目的地点までの移動に要する残りの累積上昇高度、又は、
前記現在地点から前記目的地点までの移動に要する残りの累積上昇時間、が含まれ、
前記累積下降量に関する情報には、
前記現在地点から前記目的地点までの移動に要する残りの累積下降高度、又は、
前記現在地点から前記目的地点までの移動に要する残りの累積下降時間、が含まれる、
請求項１又は２に記載の電子機器。
【請求項４】
前記通知部は、更に、
前記現在地点から前記目的地点までの累積移動距離、又は、前記現在地点から前記目的地点までの累積移動時間を、前記ユーザーへ通知する、
請求項１〜３の何れか一項に記載の電子機器。
【請求項５】
前記目的地点は、
前記ルートの終点である、
請求項１〜４の何れか一項に記載の電子機器。
【請求項６】
前記目的地点は、
前記ルートのうち前記ユーザーによって予め指定された途中地点である、
請求項１〜５の何れか一項に記載の電子機器。
【請求項７】
前記電子機器は、
前記ユーザーの所定部位へ装着可能である、
請求項１〜６の何れか一項に記載の電子機器。
【請求項８】
前記所定部位は、腕又は手首である、
請求項７に記載の電子機器。
【請求項９】
可搬の電子機器が実行する情報通知方法であって、
予め指定されたルートのうち、現在地点から目的地点までの累積上昇量に関する情報、又は、前記現在地点から前記目的地点までの累積下降量に関する情報を、ユーザーへ通知することを含む、
情報通知方法。
【請求項１０】
可搬の電子機器に搭載されたコンピューターが読み取り可能なプログラムであって、
予め指定されたルートのうち、現在地点から目的地点までの累積上昇量に関する情報、又は、前記現在地点から前記目的地点までの累積下降量に関する情報を、ユーザーへ通知
することを、前記コンピューターに実行させる、
情報通知プログラム。
【発明の詳細な説明】
【技術分野】
【０００１】
本発明は、電子機器、情報通知方法、及び情報通知プログラムに関する。
【背景技術】
【０００２】
多くの登山者は、上りの行程で頂上が見えるとモチベーションがアップするものの、頂上が見えているのになかなか登頂できないと逆にモチベーションがダウンし、疲労を感じ易くなる。また、頂上からの下降中であっても、下山口が目視できない場合には、下山口までのおおよその距離を測ることができないため、移動時間が長く感じられることが知られている。
【０００３】
そこで、携帯型行程スケジュール管理装置が提案された（特許文献１等を参照。）。この装置は、次の地点の到着予定時刻の所定時間前や、現在地点と次の地点との地点間距離が所定範囲内になると利用者にその旨を通知する。
【先行技術文献】
【特許文献】
【０００４】
【特許文献１】特開２０１０−２２３８２０号公報
【発明の概要】
【発明が解決しようとする課題】
【０００５】
しかし、登山においては、次の地点までの残りの移動距離が同じであったとしても、次の地点までの路面が平坦であるか否かによって疲労度が大きく異なるので、移動距離の通知は、登山者にとって必ずしも有効ではない。
【０００６】
本発明は、以上のような問題点に鑑みてなされたものであり、本発明のいくつかの態様は、アップダウンを含むルートの残り行程（現在地点から目的地点までの行程）に関する有意な情報をユーザーへ通知することのできる電子機器、情報通知方法、及び情報通知プログラムを提供することを目的とする。
【課題を解決するための手段】
【０００７】
本発明は前述の課題の少なくとも一部を解決するためになされたものであり、以下の態様又は適用例として実現することが可能である。
【０００８】
［適用例１］
本適用例の電子機器は、可搬の電子機器であって、予め指定されたルートのうち、現在地点から目的地点までの累積上昇量に関する情報、又は、前記現在地点から前記目的地点までの累積下降量に関する情報を、ユーザーへ通知する通知部を含む。
【０００９】
なお、「現在地点」とは、残りの累積上昇量又は累積下降量を算出する際の基準となる地点のことであって、累積上昇量又は累積下降量が算出される際に電子機器が位置する地点のことである。但し、累積上昇量又は累積下降量が算出されるタイミングと、累積上昇量又は累積下降量が通知されるタイミングとは、完全に一致しないこともある。例えば、算出から通知までの間には、算出に要する時間や通知に要する時間などのディレイ時間が介在することもある。また、例えば、位置等の算出を所定時間間隔で行う場合には、累積上昇量又は累積下降量を算出する時刻に最も近い位置を現在位置とすることもある。従って、「現在地点」は、累積上昇量または累積下降量が算出または通知される時刻に電子機器が実際に位置している地点と完全に一致していなくてもよい。
【００１０】
ここで、例えば、アップダウンのあるルートの徒歩移動では、高度方向の移動量がユーザーのモチベーションを大きく左右する。本適用例の通知部は、目的地点までの累積上昇量又は累積下降量に関する情報をユーザーへ通知する。ユーザーは、電子機器からの通知により、目的地点までの残りの上り坂の量又は残りの下り坂の量を認識することができる。従って、本適用例の電子機器は、例えば、ユーザーがモチベーションの維持を図ったりルートの見直しを図ったりするのに有効である。
【００１１】
［適用例２］
本適用例の電子機器は、前記ルートの高度の分布を示す情報を記憶する記憶部を更に含み、前記通知部は、前記高度の分布を示す情報に基づいて、前記累積上昇量に関する情報、又は、前記累積下降量に関する情報を、通知してもよい。
【００１２】
従って、通知部は、ルートの高度の分布に基づく残りの累積上昇量に関する情報又は残りの累積下降量に関する情報を通知することができる。従って、電子機器は、残りの累積上昇量又は残りの累積下降量を、適切にユーザーへ通知することができる。
【００１３】
［適用例３］
本適用例の電子機器において、前記累積上昇量に関する情報には、前記現在地点から前記目的地点までの移動に要する残りの累積上昇高度、又は、前記現在地点から前記目的地点までの移動に要する残りの累積上昇時間、が含まれ、前記累積下降量に関する情報には、前記現在地点から前記目的地点までの移動に要する残りの累積下降高度、又は、前記現在地点から前記目的地点までの移動に要する残りの累積下降時間、が含まれてもよい。
【００１４】
従って、通知部は、目的地点までの残りの上り坂の量又は下り坂の量を、高度又は時間としてユーザーに通知することができる。
【００１５】
［適用例４］
本適用例の電子機器において、前記通知部は、更に、前記現在地点から前記目的地点までの累積移動距離、又は、前記現在地点から前記目的地点までの累積移動時間を、前記ユーザーへ通知してもよい。
【００１６】
通知部は、更に、目的地点までの累積移動距離又は累積移動時間をユーザーに通知する。従って、例えば、累積移動距離又は累積移動時間を通知しない場合と比較して、ユーザーが、現在地点から目的地点までのルートをより正確に認識しやすくできる。
【００１７】
［適用例５］
本適用例の電子機器において、前記目的地点は、前記ルートの終点であってもよい。
【００１８】
従って、通知部は、ルートの終点までの残りの上り坂の量又は下り坂の量をユーザーに通知することができる。
【００１９】
［適用例６］
本適用例の電子機器において、前記目的地点は、前記ルートのうち前記ユーザーによって予め指定された途中地点であってもよい。
【００２０】
従って、通知部は、ルートの途中地点までの残りの上り坂の量又は下り坂の量をユーザーに通知することができる。
【００２１】
［適用例７］
本適用例の電子機器において、前記電子機器は、前記ユーザーの所定部位へ装着可能であってもよい。
【００２２】
従って、ユーザーは、電子機器を手で持たずに情報を確認することができる。従って、電子機器１は、スポーツなどに好適である。
【００２３】
［適用例８］
本適用例の電子機器において、前記所定部位は、腕又は手首であってもよい。
【００２４】
従って、ユーザーは、電子機器を腕時計等と同様の感覚で使用することができる。
【００２５】
［適用例９］
本適用例の情報通知方法は、可搬の電子機器が実行する情報通知方法であって、予め指定されたルートのうち、現在地点から目的地点までの累積上昇量に関する情報、又は、前記現在地点から前記目的地点までの累積下降量に関する情報を、ユーザーへ通知することを含む。
【００２６】
ここで、例えば、アップダウンのあるルートの徒歩移動では、高度方向の移動量がユーザーのモチベーションを大きく左右する。本適用例の情報通知方法によると、目的地点までの累積上昇量又は累積下降量に関する情報がユーザーへ通知される。ユーザーは、当該通知により、目的地点までの残りの上り坂の量又は下り坂の量を認識することができる。従って、本適用例の情報通知方法は、例えば、ユーザーがモチベーションの維持を図ったりルートの見直しを図ったりするのに有効である。
【００２７】
［適用例１０］
本適用例の情報通知プログラムは、可搬の電子機器に搭載されたコンピューターが読み取り可能なプログラムであって、予め指定されたルートのうち、現在地点から目的地点までの累積上昇量に関する情報、又は、前記現在地点から前記目的地点までの累積下降量に関する情報を、ユーザーへ通知することを、前記コンピューターに実行させる。
【００２８】
ここで、例えば、アップダウンのあるルートの徒歩移動では、高度方向の移動量がユーザーのモチベーションを大きく左右する。しかし、本適用例の情報通知プログラムによると、目的地点までの累積上昇量又は累積下降量に関する情報がユーザーへ通知される。ユーザーは、当該通知により、目的地点までの残りの上り坂の量又は下り坂の量を認識することができる。従って、本適用例の情報通知プログラムは、例えば、ユーザーがモチベーションの維持を図ったりルートの見直しを図ったりするのに有効である。
【図面の簡単な説明】
【００２９】
【図１】第１実施形態における電子機器１の概要を説明するための図である。
【図２】電子機器１等の構成を説明するための機能ブロック図である。
【図３】ユーザーによるルートの指定方法の一例を説明するための図である。
【図４】ルートのデータ１３２Ａ（山行計画のデータ）を説明する図である。
【図５】事前準備における情報端末２の処理を説明するためのフローチャートである。
【図６】当日における電子機器１の処理を説明するためのフローチャートである。
【図７】表示画面の例を説明する図である。
【図８】表示画面の別の例を説明する図である。
【図９】ステップＳ３００、Ｓ３１０を説明する図である。
【発明を実施するための形態】
【００３０】
以下、本発明の好適な実施形態について図面を用いて詳細に説明する。なお、以下に説明する実施形態は、特許請求の範囲に記載された本発明の内容を不当に限定するものではない。また以下で説明される構成の全てが本発明の必須構成要件であるとは限らない。
【００３１】
１．電子機器の実施形態
１−１．電子機器の概要
図１は、第１実施形態における電子機器の概要を説明するための図である。
【００３２】
図１に示すように、本実施形態における電子機器１（可搬の電子機器の一例）は、例えば、登山などのアウトドアシーンにおいてユーザーの身体の一部へ装着される携帯情報機器である。必要なときにユーザーが目視できるよう、電子機器１の装着先は、肘から手に至る部位（前腕）である。図１に示す例では、電子機器１はリスト型（腕時計型）の携帯情報機器（アウトドアウォッチ）として構成され、電子機器１の装着先は手首とされている。
【００３３】
電子機器１には、例えば、アウトドアウォッチの機能として、計時機能、測位機能、コンパス機能、気圧検出機能、ナビゲーション機能などが搭載されている。以下、電子機器１が登山に適用されると仮定して説明する。
【００３４】
登山の事前準備では、ユーザーは、スマートフォン、タブレットＰＣ、デスクトップＰＣ等の情報端末を操作して登山を予定しているルートを指定し、情報端末を介して電子機器１へ登録する。
【００３５】
登山の当日、電子機器１を携帯（装着）したユーザーは、予め登録したルートのうち、現在地点から目的地点までの残り行程に関する情報を電子機器１の表示部へ逐次に表示させる。ユーザーは、表示される情報を参考にして、登山のペース配分や休憩のタイミングなどを適宜に見直す。なお、ユーザーは、ルートなどの登録を事前準備により済ませておけば、登山の当日に電子機器１以外の機器（情報端末など）を操作する必要は無い。
【００３６】
１−２．ルートの指定
事前準備では、例えば図２に示すとおり電子機器１は情報端末２へ接続され、情報端末２はインターネットなどのネットワーク３へ接続される。以下、情報端末２のユーザーインターフェースとしてタッチパネルが使用される場合を想定する。
【００３７】
先ず、ユーザーは、情報端末２を操作してネットワークサーバー４へアクセスし、ネットワークサーバー４に蓄積された全世界地図のうち、所望のエリアの地図を情報端末２の表示画面（タッチパネル型ディスプレイなど）へ表示させ、地図を閲覧する。なお、地図は、必要な地域の地図が含まれていれば、全世界地図でなくてもよい。例えば、北半球の地図、アジアの地図、アメリカ大陸の地図、世界のうち数か国の地図であってもよい。そして、ユーザーは、情報端末２上で地図の拡大、縮小、スクロールなどを行うことにより、所望のルートを含むエリアを情報端末２へ表示させる。
【００３８】
次に、ユーザーは、図３に示すとおり、ルートの各地点Ｐ１、Ｐ２、Ｐ３、…を、ルートの始点Ｐ１から順に指定（タッチ）し、ルートの終点（図３では地点Ｐ８）の指定が完了すると、情報端末２へ完了通知を入力する。
【００３９】
なお、ここでいう「地点」とは、ルート上の何れかの位置のことである。ルート上の地点は、ルートデータを構成する任意の地点ということもできる。よって、「地点」の中には、ユーザーが何らかのイベント（休憩、昼食など）を予定している地点（イベントポイント）が含まれていてもよいし、他のルートへの分岐地点が含まれていてもよいし、その
他の地点が含まれていてもよい。
【００４０】
情報端末２は、ユーザーの指定した複数の地点Ｐ１、Ｐ２、Ｐ３、…を指定順に連結してできるルートを、ユーザーの指定したルートとみなし、当該ルートを包含するローカル地図（地形データ含む。）をネットワークサーバー４からダウンロードする。
【００４１】
なお、情報端末２は、複数の地点Ｐ１、Ｐ２、Ｐ３、…を指定順に連結してできる折れ線状のルートをユーザーの指定したルートとみなしてもよいし、当該折れ線状のルートを補間又は平滑化してなる曲線状のルートをユーザーの指定したルートとみなしてもよいし、折れ線状のルートに最も近い地図上のルートの中心線を、ユーザーの指定したルートとみなしてもよい。
【００４２】
従って、ユーザーは、登山ルートのように交差点や目印の無いルートを情報端末２へ指定することができる。
【００４３】
また、情報端末２は、ユーザーの指定したルート上に位置する複数の地点Ｐ１、Ｐ２、Ｐ３、…の各々の位置座標（緯度、経度、高度）を、ローカル地図に含まれる地形データから抽出し、複数の地点Ｐ１、Ｐ２、Ｐ３、…の位置座標を地点番号順に配列してなるデータを、ルートの空間分布（水平方向のルートのレイアウト、ルートの高度の分布など）を示すデータとして作成する。よって、例えば、図３に例示したルートの構成は、８つの地点Ｐ１〜Ｐ８の位置座標の集合で表される。
【００４４】
なお、地点Ｐｎの位置座標（緯度、経度、高度）は、地球上における地点Ｐｎの絶対的な位置を示す座標である。
【００４５】
また、ユーザーは、ルートの詳細な構成を情報端末２へ指定したい場合には、地図上で指定する地点の個数を増やせばよい。本実施形態では、ルートのアップダウンの情報が必要となるので、少なくとも、ルートにおける１又は複数のピーク地点と、ルートにおける１又は複数のバレー地点とは、ユーザーによって指定されたと仮定する。
【００４６】
また、ユーザーは、ルートを指定する際に、ルートを構成する複数の地点の属性を情報端末２へ入力してもよい。地点の属性は、例えば、「休憩地点」、「昼食地点」、「分岐地点」、「写真撮影地点」などであり、ユーザーが入力したイベント名、コメントなどである。地点の属性は、例えば、テキストによって入力されてもよいし、予め用意された複数のアイコン（マーク）の選択によって入力されてもよい。
【００４７】
また、ユーザーは、ルートを指定する際に、ルートの名称、各地点の希望日時などを情報端末２へ入力してもよい。名称や日時は、例えば、テキスト（数値）によって入力される。
【００４８】
そして、情報端末２は、ユーザーの指定したルートの構成、ルートの名称、希望日時などに基づきルートのデータ１３２Ａ（山行計画のデータ）を作成する。
【００４９】
ルートのデータ１３２Ａ（山行計画のデータ）の構造を可視化すると、例えば、図４に示すとおりである。
【００５０】
図４に示すとおり、ルートのデータ１３２Ａ（山行計画のデータ）には、互いに隣接する地点間の高度差（上昇高度）のデータが含まれる。図４において上昇高度の符号が正である地点は、前の地点よりも高度の高い地点であり、上昇高度の符号が負である地点は、前の地点よりも高度の低い地点である。
【００５１】
このルートのデータ１３２Ａ（山行計画のデータ）によると、ルート全体における上り坂の量（具体的には、ルート全体の移動に要する累積上昇高度）と、ルート全体における下り坂の量（具体的には、ルート全体の移動に要する累積下降高度）とを、それぞれ簡単に計算することができる。
【００５２】
例えば、ルート全体の移動に要する累積上昇高度は、ルートのデータ１３２Ａ（山行計画のデータ）に含まれる上昇高度の値のうち、符号が正であるものの絶対値を加算することにより計算することができる。
【００５３】
また、ルート全体の移動に要する累積下降高度は、ルートのデータ１３２Ａ（山行計画のデータ）に含まれる上昇高度の値のうち、符号が負であるものの絶対値を加算することにより計算することができる。
【００５４】
１−３．電子機器等の構成
図２は、電子機器等の構成を説明するための機能ブロック図である。
【００５５】
図２に示すように、電子機器１は、ＧＰＳセンサー１１０、地磁気センサー１１１、気圧センサー１１２、処理部１２０、記憶部１３０、操作部１５０、計時部１６０、表示部１７０、音出力部１８０、通信部１９０などを含んで構成される。但し、電子機器１の構成は、これらの構成要素の一部を削除又は変更し、或いは他の構成要素を追加したものであってもよい。
【００５６】
ＧＰＳセンサー１１０は、電子機器１の位置を示す測位データ（緯度、経度、高度）を生成して処理部１２０へ出力するセンサーであって、例えばＧＰＳ受信機（GPS: Global Positioning System）等を含んで構成される。ＧＰＳセンサー１１０は、外部から到来する所定周波数帯域の電磁波を不図示のＧＰＳアンテナで受信し、ＧＰＳ衛星からのＧＰＳ信号を抽出すると共に、当該ＧＰＳ信号に基づき電子機器１の位置を示す測位データを生成する。
【００５７】
地磁気センサー１１１は、電子機器１から見た地球の磁場の方向を示す地磁気ベクトルを検出するセンサーであって、例えば、互いに直交する３つの軸方向の磁束密度を示す地磁気データを生成する。地磁気センサー１１１には、例えば、ＭＲ（Magnet resistive）素子、ＭＩ（Magnet impedance）素子、ホール素子などが用いられる。
【００５８】
気圧センサー１１２は、電子機器１の存在する空間（雰囲気）の気圧を検出するセンサーであって、例えば、振動片の共振周波数の変化を利用する方式（振動方式）の感圧素子を有している。この感圧素子は、例えば、水晶、ニオブ酸リチウム、タンタル酸リチウム等の圧電材料で形成された圧電振動子であり、例えば、音叉型振動子、双音叉型振動子、ＡＴ振動子（厚みすべり振動子）、ＳＡＷ共振子などが適用される。なお、気圧センサー１１２の出力は、ＧＰＳセンサー１１の測位データに含まれる高度の情報を補正（又は保障）するために使用されることもある。
【００５９】
処理部１２０は、例えば、ＣＰＵ（Central Processing Unit）、ＤＳＰ（Digital Signal Processor）、ＡＳＩＣ（Application Specific Integrated Circuit）等により構成される。処理部１２０は、記憶部１３０に格納されたプログラム１３３と、操作部１５０を介してユーザーが入力した各種のコマンドとに従い各種の処理を行う。処理部１２０による処理には、ＧＰＳセンサー１１０、地磁気センサー１１１、気圧センサー１１２、計時部１６０などの生成するデータに対するデータ処理、表示部１７０へ画像を表示させる表示処理、音出力部１８０に音を出力させる音出力処理などが含まれる。
【００６０】
記憶部１３０は、例えば１又は複数のＩＣメモリーなどにより構成され、プログラム１３３などのデータが記憶されるＲＯＭと、処理部１２０の作業領域となるＲＡＭとを有する。なお、ＲＡＭには不揮発性のＲＡＭも含まれ、不揮発性のＲＡＭには、登録データ１３２などの記憶領域などが確保されている。なお、プログラム１３３には、残り行程の通知プログラム１３３Ａ（情報通知プログラムの一例）が含まれ、登録データ１３２には、ルートのデータ１３２Ａ（ルートの高度の分布を示す情報の一例）が含まれる。
【００６１】
操作部１５０は、例えばボタン、キー、マイク、タッチパネル、音声認識機能、加速度計によるアクション検出機能、などで構成され、ユーザーからの指示を適当な信号に変換して処理部１２０に送る処理を行う。
【００６２】
計時部１６０は、例えば、リアルタイムクロック（ＲＴＣ：Real Time Clock）ＩＣなどにより構成され、年、月、日、時、分、秒等の時刻データを生成して処理部１２０に送る。
【００６３】
表示部１７０は、例えばＬＣＤ（Liquid Crystal Display）、有機ＥＬ（Electroluminescence）ディスプレイ、ＥＰＤ（Electrophoretic Display）、タッチパネル型ディスプレイ等で構成され、処理部１２０からの指示に従って各種の画像を表示する。
【００６４】
音出力部１８０は、例えばスピーカー、ブザー、バイブレーターなどで構成され、処理部１２０からの指示に従って各種の音（又は振動）を発生させる。
【００６５】
通信部１９０は、電子機器１と情報端末２（スマートフォンなど）との間のデータ通信を成立させるための各種制御を行う。通信部１９０は、例えば、Bluetooth（登録商標）（BTLE：Bluetooth Low Energyを含む）、Ｗｉ−Ｆｉ（登録商標）（Wi-Fi:Wireless Fidelity）、Ｚｉｇｂｅｅ（登録商標）、ＮＦＣ（Near field communication）、ＡＮＴ＋（登録商標）等の近距離無線通信規格に対応した送受信機を含んで構成される。
【００６６】
情報端末２は、インターネットなどのネットワーク３に接続可能なスマートフォン、タブレットＰＣ、デスクトップＰＣなどの情報端末であって、電子機器１の通信部１９０に対応した不図示の通信部を搭載している。また、情報端末２の記憶部（不図示）には、電子機器１を制御するためのプログラムがインストールされており、情報端末２は、少なくとも電子機器１に接続された際には、このプログラムに従って動作する。このプログラムは、例えばインターネットなどのネットワーク３を介してネットワークサーバー４からダウンロードされたものである。
【００６７】
ネットワークサーバー４は、インターネットなどのネットワーク３に接続されたネットワークサーバーである。ネットワークサーバー４には、電子機器１のユーザーからアップロードされたデータなどをユーザーごとに管理する機能が搭載されている。また、ネットワークサーバー４には、電子機器１のユーザーに向けてプログラムや地図データなどを提供する機能も搭載されている。
【００６８】
１−４．情報端末の処理
図５は、事前準備における情報端末２の処理を説明するためのフローチャートである。事前準備では、情報端末２はネットワーク３及び電子機器１に接続されていると仮定する。以下、図８の各ステップを順に説明する。
【００６９】
ステップＳ１１０：情報端末２は、ネットワークサーバー４に蓄積されている全世界地図を表示し、地図上でユーザーにルートを指定させる。ユーザーによるルートの指定方法
は、前述したとおりである（図３等を参照。）。
【００７０】
ステップＳ１２０：情報端末２は、ルートの名称やルートを構成する各地点の属性などをユーザーに指定させる。
【００７１】
ステップＳ１３０：情報端末２は、ルートのデータ１３２Ａ（山行計画のデータ）、ルートを包含するローカル地図等を準備し、ルートのデータ１３２Ａ及びローカル地図等を登録データ１３２として電子機器１の記憶部１３０へ書き込み、フローを終了する。これによって、ルートの登録が完了する。
【００７２】
１−５．電子機器の処理
図６は、登山当日における電子機器１の処理部１２０の残り行程の通知処理（情報通知方法の一例）を説明するためのフローチャートである。この処理は、残り行程の通知プログラム１３３Ａに従って実行される。
【００７３】
ここでは、登山当日、ユーザーが電子機器１を単体で携帯し、予め登録したルートの始点に位置したときに、当該ルートの終点を目的地点とした残り行程を通知するよう、電子機器１へ指示を入力したと仮定する（ユーザーから電子機器１への情報の入力は操作部１５０を介して行われる。以下同様。）。
【００７４】
以下、図６の各ステップを順に説明する。
【００７５】
ステップＳ２１０：電子機器１の処理部１２０は、ルートのデータ１３２Ａ（山行計画のデータ）等を記憶部１３０の登録データ１３２から読み出す。
【００７６】
ステップＳ２２０：処理部１２０は、ＧＰＳセンサー１１０が出力する測位データ、気圧センサー１１２が出力する気圧データ、計時部１６０が出力する時刻データ等を参照する。
【００７７】
ステップＳ２３０：処理部１２０は、参照したデータに基づき、移動済み行程（ルートの始点から現在地点までの行程）に関する計測を行う。ここでは、計測項目を以下の（１）〜（６）とする。
【００７８】
（１）始点から現在地点までの移動に要した移動済みの累積上昇高度
（２）始点から現在地点までの移動に要した移動済みの累積上昇時間
（３）始点から現在地点までの移動に要した移動済みの累積下降高度
（４）始点から現在地点までの移動に要した移動済みの累積下降時間
（５）始点から現在地点までの移動に要した移動済みの累積移動距離
（６）始点から現在地点までの移動に要した移動済みの累積移動時間
なお、計測項目（１）〜（６）の計測には、公知の何れかの計測方法が適用される。また、計測項目（１）〜（６）の計測には、計測誤差を抑えるための公知の何れかの誤差補正方法（平均化処理、平滑化処理、補間処理等）が適用されてもよい。
【００７９】
また、ここでいう「累積移動距離」は、空間内における累積移動距離（高度方向の移動も考慮したもの）であってもよいし、水平面内（重力方向に垂直な面内）における累積移動距離（高度方向の移動は考慮しないもの）であってもよい。
【００８０】
ステップＳ２４０：処理部１２０は、更新のタイミングが到来したか否かを判定し、到来したと判定した場合（ステップＳ２４０Ｙ）には、次のステップＳ２５１、Ｓ２５２へ移行し、到来したと判定しなかった場合（ステップＳ２４０Ｎ）には、ステップＳ２２０
へ移行する。
【００８１】
なお、ここでいう「更新のタイミング」は、後述するステップＳ２７１、Ｓ２７２における表示又は更新を行うべきタイミングのことである。更新のタイミングは、例えば、１秒程度〜数分程度の何れかの周期で到来する。
【００８２】
ステップＳ２５１：処理部１２０は、ルート全体の累積上昇高度から移動済みの累積上昇高度を減算することにより、現在地点から目的地点までの残りの累積上昇高度（累積上昇量を示す情報の一例）を計算する。
【００８３】
なお、ルート全体の累積上昇高度は、例えば、ルートのデータ１３２Ａ（山行計画のデータ）に含まれる上昇高度のうち、符号が正であるものの絶対値を加算することにより、計算することができる。つまり、ステップＳ２５１における処理部１２０は、記憶部１３０の登録データ１３２に含まれるルートのデータ１３２Ａを参照し、ルートのデータ１３２Ａに含まれる正の上昇高度に基づき、ルート全体の累積上昇高度を計算し、累積上昇高度等に基づき残りの累積上昇高度を計算する。
【００８４】
ステップＳ２６１：処理部１２０は、残りの累積上昇高度を、移動済みの上昇ペースで除算することにより、残りの累積上昇時間（累積下降量を示す情報の一例）を計算する。
【００８５】
ここで、移動済みの上昇ペースは、例えば、移動済みの累積上昇高度を、移動済みの累積上昇時間で除算することによって計算することができる。
【００８６】
ステップＳ２７１：処理部１２０は、残りの累積上昇高度及び残りの累積上昇時間を、表示部１７０の表示画面１７０Ａへ表示する（図７参照）。なお、２回目以降のステップＳ２７１では、表示中の残りの累積上昇高度及び残りの累積上昇時間が更新される。
【００８７】
ステップＳ２５２：処理部１２０は、ルート全体の累積下降高度から移動済みの累積下降高度を減算することにより、現在地点から目的地点までの残りの累積下降高度（累積下降量を示す情報の一例）を計算する。
【００８８】
なお、ルート全体の累積下降高度は、例えば、ルートのデータ１３２Ａ（山行計画のデータ）に含まれる上昇高度のうち、符号が負であるものの絶対値を加算することにより、計算することができる。つまり、ステップＳ２５２における処理部１２０は、記憶部１３０の登録データ１３２に含まれるルートのデータ１３２Ａを参照し、ルートのデータ１３２Ａに含まれる負の上昇高度に基づき、ルート全体の累積下降高度を計算し、累積下降高度等に基づき残りの累積下降高度を計算する。
【００８９】
ステップＳ２６２：処理部１２０は、残りの累積下降高度を、移動済みの下降ペースで除算することにより、残りの累積下降時間（累積下降量を示す情報の一例）を計算する。
【００９０】
ここで、移動済みの下降ペースは、例えば、移動済みの累積下降高度を、移動済みの累積下降時間で除算することによって計算することができる。
【００９１】
ステップＳ２７２：処理部１２０は、残りの累積下降高度又は残りの累積下降時間を、表示部１７０の表示画面１７０Ａへ表示する（図７参照）。なお、２回目以降のステップＳ２７２では、表示中の残りの累積下降高度及び残りの累積下降時間が更新される。
【００９２】
ステップＳ２８０；処理部１２０は、現在地点の位置座標から目的地点の位置座標までのずれが誤差範囲内に収まったか否か（すなわち電子機器１が目標地点に到着したか否か
）を判定し、到着したと判定した場合（ステップＳ２８０Ｙ）には、フローを終了し、到着していないと判定した場合（ステップＳ２８０Ｎ）には、ステップＳ２２０へ移行する。なお、ステップＳ３００、Ｓ３１０については、後述する。
【００９３】
なお、以上のフローにおけるステップの順序は、適宜に変更することが可能である。また、以上のフローにおいては、一部のステップを省略することも可能である。
【００９４】
例えば、ステップＳ２５１〜Ｓ２７１における一連の処理と、ステップＳ２５２〜Ｓ２７２における一連の処理とは、並列処理として実行されてもよいし、逐次処理として実行されてもよい。
【００９５】
１−７．表示画面について
図７は、残り行程の通知処理に関する表示画面の一例を示す図である。
【００９６】
図７には、腕時計の文字板と同様の円形の表示画面１７０Ａが表示部１７０に設けられた例を示した。
【００９７】
表示画面１７０Ａには、例えば、表示モードの種類を表すイメージ１７０Ｂと、上り坂に関する情報を示すイメージ１７０Ｃと、下り坂に関する情報を示すイメージ１７０Ｄと、現在地点に関するイメージ１７０Ｅとが配置される。
【００９８】
イメージ１７０Ｂは、「目的地点まで残り」などのテキストイメージである。従って、ユーザーは、表示モードが「残り行程」に関するモードであることを認識することができる。
【００９９】
イメージ１７０Ｃは、残りの累積上昇高度の値（例えば「２００Ｍ」）と、残りの累積上昇時間の値（例えば「約４０分」）とを示すテキストイメージである。なお、残りの累積上昇時間は、過去の上昇ペースに基づく予測時間である。このため、図７に示す例では、残りの累積上昇時間の値を示すテキスト「４０分」の先頭に、誤差を含んでいることを示す「約」というテキストが付与されている。従って、ユーザーは、目的地点へ到着するために上るべき坂の量を、正しく把握することができる。
【０１００】
イメージ１７０Ｄは、残りの累積下降高度の値（例えば「１００Ｍ」）と、残りの累積下降時間の値（例えば「約１５分」）とを示すテキストイメージである。なお、残りの累積下降時間は、過去の下降ペースに基づく予測時間である。このため、図７に示す例では、残りの累積下降時間の値を示すテキスト「１５分」の先頭に、誤差を含んでいることを示す「約」というテキストが付与されている。従って、ユーザーは、目的地点へ到着するために下るべき坂の量を、正しく把握することができる。
【０１０１】
イメージ１７０Ｅは、少なくとも現在地点から目的地点に至るルートの高度分布を示すイメージ（断面ルートナビのイメージ）である。断面ルートナビのイメージは、例えば、当該ルートを含み、かつ鉛直方向に延びる曲面（カーテン状の曲面）でルートを切断してできる概略断面図である。従って、ユーザーは、目的地点へ到着するために必要なアップダウンを、大まかに把握することができる。
【０１０２】
また、図７に示す例では、上り坂に関するイメージ１７０Ｃには、ユーザーから見て上向きの矢印マーク「↑」が付与されている。ユーザーから見て「上向き」とは、表示画面１７０Ａを１２時制の文字板とみなした場合の１２時方向のことである。
【０１０３】
また、図７に示す例では、下り坂に関するイメージ１７０Ｄには、ユーザーから見て下
向きの矢印マーク「↓」が付与されている。ユーザーから見て「下向き」とは、表示画面１７０Ａを１２時制の文字板とみなした場合の６時方向のことである。
【０１０４】
従って、ユーザーは、上り坂に関する情報（符号１７０Ｃ）と、下り坂に関する情報（符号１７０Ｄ）とを、表示画面１７０Ａ上で簡単に区別することができる。
【０１０５】
２．実施形態の補足
なお、上記の実施形態における情報端末２は、ルートをユーザーに指定させる際に、ルートの具体的な形状（ルート上の複数の地点の位置関係）をユーザーに指定させたが、ネットワーク３上で一般に公開されている既存のルートのうち１つ、又は、ネットワークサーバー４がユーザーに公開している既存のルートのうち１つを、ユーザーに指定させてもよい。
【０１０６】
また、上記の実施形態における処理部１２０は、目的地点をルートの終点としたが、ルートの始点から終点までの何れかの地点（途中地点）を目的地点としてもよい。また、処理部１２０は、目的地点をユーザーに指定させてもよい。
【０１０７】
また、上記の実施形態における処理部１２０は、電子機器１に登録されたルートの数を１としたが、複数であってもよい。電子機器１に登録されたルートの数が２以上である場合には、複数のルートのうち何れか１つのルートをユーザーに指定させてもよい。
【０１０８】
また、上記の実施形態における処理部１２０は、残り行程に関する情報の１つとして、断面ルートナビのイメージ１７０Ｅを表示画面１７０Ａへ表示したが（図７参照）、断面ルートナビのイメージ１７０Ｅの代わりに、又は、断面ルートナビのイメージ１７０Ｅと共に、例えば図８に示すとおり、残りの累積移動距離と残りの累積移動時間とを示すテキストイメージ１７０Ｆを表示してもよい。その場合、処理部１２０は、例えば、図６に示すステップ３００、Ｓ３１０を実行すればよい。以下、ステップＳ３００、Ｓ３１０について説明する。
【０１０９】
ステップＳ３００：処理部１２０は、ルート全体の累積移動距離から移動済みの累積移動距離を減算することにより、現在地点から目標地点までの残りの累積移動距離を計算する。なお、ルート全体の累積移動距離は、ルートのデータ１３２Ａなどから計算することができる。
【０１１０】
ステップＳ３１０：処理部１２０は、残りの累積移動距離を、移動済みのペースで除算することにより、残りの累積移動時間を計算する。ここで、移動済みのペースは、例えば、移動済みの累積移動距離を、移動済みの累積移動時間で除算することによって計算することができる（或いは、残りの累積移動時間は、残りの累積上昇時間と残りの累積下降時間とを加算することによっても計算することができる。）。
【０１１１】
また、上記の実施形態における処理部１２０は、以下の計測項目（１’）〜（６’）の全てについて計測及び表示（更新）を行ったが、計測項目（１’）〜（６’）のうち少なくとも１つについて計測または表示（更新）を省略してもよい。なお、残りの累積上昇量を表示する場合には計測項目（１’）または（２’）、残りの累積下降量を表示する場合には計測項目（３’）または（４’）を計測及び表示する。
【０１１２】
（１’）現在地点から目的地点までの移動に要する残りの累積上昇高度
（２’）現在地点から目的地点までの移動に要する残りの累積上昇時間
（３’）現在地点から目的地点までの移動に要する残りの累積下降高度
（４’）現在地点から目的地点までの移動に要する残りの累積下降時間
（５’）現在地点から目的地点までの移動に要する残りの累積移動距離
（６’）現在地点から目的地点までの移動に要する残りの累積移動時間
また、上記の実施形態における処理部１２０は、計測項目（１’）〜（６’）うち計測または表示（更新）すべきものをユーザーに予め制限させてもよい。
【０１１３】
また、上記の実施形態における処理部１２０は、計測項目（１’）〜（６’）のうち少なくとも１つについての計測または表示（更新）を行うために、ルートのデータ１３２Ａ（山行計画のデータ）を用いたが、ローカル地図のデータ（ルートの詳細な地形データを含む）を用いてもよいし、ルートのデータ１３２Ａ（山行計画のデータ）とローカル地図のデータとの双方を併用してもよい。
【０１１４】
また、上記の実施形態における処理部１２０は、表示（更新）する頻度（ステップＳ２７１、Ｓ２７２の実行頻度）を、計測の頻度（ステップＳ２３０の実行頻度）よりも低くしたが、表示（更新）の頻度と計測の頻度とを同じに設定してもよい。
【０１１５】
また、上記の実施形態における処理部１２０は、更に、残りの累積移動時間などに基づき、目的地点にユーザーの到着する時刻が希望到着時刻に間に合うか否かを判定し、その判定の結果を逐次にユーザーへ通知してもよい。また、処理部１２０は、間に合わないと判定した場合に、ルートの変更をユーザーに促したり、ユーザーに対する別ルート（サブルート、エスケープルートなど）の提示を行ったりしてもよい。
【０１１６】
また、上記の実施形態の電子機器１は、ユーザーに対する情報の通知を画像表示により行ったが、音出力、振動などにより行ってもよいし、画像表示、音出力、振動のうち少なくとも２つの組み合わせにより行ってもよい（表示部１７０、音出力部１８０は、通知部の一例である。）。
【０１１７】
また、上記の実施形態では、ネットワークサーバー４の機能の一部（例えばユーザーデータの保管に関する機能）が情報端末２又は電子機器１に搭載されてもよいし、情報端末２又は電子機器１の機能の一部がネットワークサーバー４に搭載されてもよい。また、上記の実施形態では、電子機器１の機能の一部又は全部が情報端末２に搭載されてもよいし、情報端末２の機能の一部又は全部が電子機器１に搭載されてもよい。
【０１１８】
３．実施形態の作用効果
（１）以上説明したとおり、本実施形態の電子機器１は、可搬の電子機器であって、予め指定されたルートのうち、現在地点から目的地点までの残りの累積上昇量に関する情報（残りの累積上昇高度、残りの累積情報時間）又は現在地点から目的地点までの残りの累積下降量に関する情報（残りの累積上昇時間、残りの累積下降時間）を、ユーザーへ通知する通知部（表示部１７０、音出力部１８０）を含む。
【０１１９】
ここで、登山など、アップダウンのあるルートの徒歩移動では、自動車での移動や平地の移動と比べると、高度方向の移動量がユーザーのモチベーションを大きく左右する。しかし、通知部（表示部１７０、音出力部１８０）は、目的地点までの残りの累積上昇量又は残りの累積下降量に関する情報（残りの累積上昇高度、残りの累積下降高度、残りの累積上昇時間、残りの累積下降時間）をユーザーへ通知する。従って、ユーザーは、電子機器１からの通知により、目的地点までの残りの上り坂の量又は下り坂の量を、認識することができる。従って、本実施形態の電子機器１は、ユーザーがモチベーションの維持を図ったり山行計画の見直しを図ったりするのに有効である。
【０１２０】
（２）また、本実施形態の電子機器１は、ルートの高度の分布を示す情報（ルートのデータ１３２Ａ）を記憶する記憶部１３０を更に含み、前記通知部（表示部１７０、音出力部
１８０）は、前記高度の分布を示す情報に基づいて、前記累積上昇量に関する情報又は前記累積下降量に関する情報を通知する。
【０１２１】
従って、通知部（表示部１７０、音出力部１８０）は、残りの累積上昇量又は残りの累積下降量に関する情報に、ルートの高度方向の分布を反映させることができる。従って、電子機器１は、残りの累積上昇量又は残りの累積下降量を、より正確にユーザーへ通知することができる。
【０１２２】
（３）また、本実施形態の電子機器１において、前記累積上昇量に関する情報には、前記現在地点から前記目的地点までの移動に要する残りの累積上昇高度、又は、前記現在地点から前記目的地点までの移動に要する残りの累積上昇時間、が含まれ、前記累積下降量に関する情報には、前記現在地点から前記目的地点までの移動に要する残りの累積下降高度、又は、前記現在地点から前記目的地点までの移動に要する残りの累積下降時間、が含まれる。
【０１２３】
従って、ユーザーは、目的地点までの残りの上り坂の量又は下り坂の量を、時間又は高度の単位として電子機器１に通知させることができる。
【０１２４】
（４）また、本実施形態の電子機器１において、前記通知部は、更に、前記現在地点から前記目的地点までの累積移動距離又は前記現在地点から前記目的地点までの累積移動時間を前記ユーザーへ通知する。
【０１２５】
従って、ユーザーは、更に、目的地点までの残りの移動量を電子機器１に通知させることができる。
【０１２６】
（５）また、本実施形態の電子機器１において、目的地点は、ルートの終点である。
【０１２７】
従って、ユーザーは、ルートの終点までの残りの上り坂の量又は下り坂の量を電子機器１に通知させることができる。
【０１２８】
（６）また、本実施形態の電子機器１において、目的地点は、ルートのうちユーザーによって予め指定された途中地点である。
【０１２９】
従って、ユーザーは、ルートの途中地点までの残りの上り坂の量又は下り坂の量を電子機器１に通知させることができる。
【０１３０】
（７）また、本実施形態の電子機器１は、ユーザーの所定部位へ装着可能である。
【０１３１】
従って、ユーザーは、電子機器１を手で持たずに情報を確認することができる。従って、電子機器１は、スポーツ、例えば、散歩、ランニング、トレイルランニング、登山、自転車などに好適である。
【０１３２】
（８）また、本実施形態の電子機器１において、所定部位は、腕又は手首である。
【０１３３】
従って、ユーザーは、電子機器１を腕時計等と同様の感覚で使用することができる。
【０１３４】
４．その他の変形例
本発明は上記の実施形態に限定されず、本発明の要旨の範囲内で種々の変形実施が可能である。
【０１３５】
例えば、電子機器１又は情報端末２には、公知のスマートフォンの機能、例えば、カメラ機能、通話機能、運動に関するセンシング機能（例えば、加速度センサー、角速度センサーなどの慣性センサー）などが搭載されてもよい。
【０１３６】
また、電子機器１又は情報端末２には、生体活動に関するセンシング機能、例えば、温度センサー、湿度センサー、脈センサーなどが搭載されてもよい。
【０１３７】
また、電子機器１又は情報端末２は、リスト型電子機器、スマートフォン、ヘッドマウントディスプレイ（ＨＭＤ：Head Mount Display）など、様々なタイプの携帯情報機器として構成することができる。
【０１３８】
また、上記の実施形態の電子機器１又は情報端末２は、ユーザーに対する情報の通知を、主に画像表示により行ったが、音出力、振動などにより行ってもよいし、画像表示、音出力、振動のうち少なくとも２つの組み合わせにより行ってもよい。
【０１３９】
また、上記の実施形態では、全地球衛星測位システムとしてＧＰＳ（Global Positioning System）を利用したが、他の全地球航法衛星システム（ＧＮＳＳ：Global Navigation
Satellite System）を利用してもよい。例えば、ＥＧＮＯＳ(European Geostationary-Satellite Navigation Overlay Service)、ＱＺＳＳ（Quasi Zenith Satellite System）、ＧＬＯＮＡＳＳ（GLObal NAvigation Satellite System）、ＧＡＬＩＬＥＯ、ＢｅｉＤｏｕ（BeiDou Navigation Satellite System）、等の衛星測位システムのうち１又は２以上を利用してもよい。また、衛星測位システムの少なくとも１つにＷＡＡＳ（Wide Area Augmentation System）、ＥＧＮＯＳ(European Geostationary-Satellite Navigation Overlay Service)等の静止衛星型衛星航法補強システム（ＳＢＡＳ：Satellite-based Augmentation System）を利用してもよい。
【０１４０】
また、上述した各実施形態及び各変形例は一例であって、これらに限定されるわけではない。例えば、各実施形態及び各変形例を適宜組み合わせることも可能である。
【０１４１】
また、本発明は、実施形態で説明した構成と実質的に同一の構成（例えば、機能、方法及び結果が同一の構成、あるいは目的及び効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。
【符号の説明】
【０１４２】
１  電子機器、１１０  ＧＰＳセンサー、１２０  処理部、１３０  記憶部、１１１  地磁気センサー、１１２  気圧センサー、１５０  操作部、１６０  計時部、１７０  表示部、１８０  音出力部、１９０  通信部、２  情報端末、３  ネットワーク、４  ネットワークサーバー
【図１】
2017032423.tif 000003
【図２】
2017032423.tif 000004
【図３】
2017032423.tif 000005
【図４】
2017032423.tif 000006
【図５】
2017032423.tif 000007
【図６】
2017032423.tif 000008
【図７】
2017032423.tif 000009
【図８】
2017032423.tif 000010
【図９】
2017032423.tif 000011